(57)【特許請求の範囲】
【請求項１】
他の無線基地局との間の論理的な伝送路であるコネクションを確立する無線基地局であって、
無線端末のハンドオーバの履歴を示すハンドオーバ履歴情報を取得する履歴取得部と、
前記履歴取得部によって取得された前記ハンドオーバ履歴情報に基づいて、前記コネクションの確立の相手である前記他の無線基地局を決定する確立相手決定部と、
自無線基地局との間で前記コネクションが確立されている前記他の無線基地局を、自無線基地局との間で前記コネクションが確立されていない前記他の無線基地局よりも優先して、前記無線端末のハンドオーバ先として決定するハンドオーバ先決定部と
を備える無線基地局。
【請求項２】
前記ハンドオーバ履歴情報は、前記無線端末の過去のハンドオーバ先である前記他の無線基地局との接続時間を含み、
前記確立相手決定部は、所定の閾値以上である前記接続時間に対応する前記他の無線基地局を、前記コネクションの確立の相手として決定する請求項１に記載の無線基地局。
【請求項３】
前記確立相手決定部は、前記無線端末の過去のハンドオーバ先である前記無線基地局のうち、直近の所定数のハンドオーバ先である前記他の無線基地局の中から前記コネクションの確立の相手を決定する請求項１又は２に記載の無線基地局。
【請求項４】
前記確立相手決定部は、前記無線端末と前記他の無線基地局との間の通信品質を取得し、前記通信品質に基づいて、前記コネクションの確立の相手である前記他の無線基地局を決定する請求項１乃至３の何れかに記載の無線基地局。
【請求項５】
他の無線基地局との間の論理的な伝送路であるコネクションを確立する無線基地局におけるコネクション確立制御方法であって、
前記無線基地局が、無線端末のハンドオーバの履歴を示すハンドオーバ履歴情報を取得するステップと、
前記無線基地局が、取得された前記ハンドオーバ履歴情報に基づいて、前記コネクションの確立の相手である前記他の無線基地局を決定するステップと、
自無線基地局との間で前記コネクションが確立されている前記他の無線基地局を、自無線基地局との間で前記コネクションが確立されていない前記他の無線基地局よりも優先して、前記無線端末のハンドオーバ先として決定するステップと
を備えるコネクション確立制御方法。
【発明の詳細な説明】
【技術分野】
【０００１】
本発明は、他の無線基地局との間の論理的な伝送路であるコネクションを確立する無線基地局、及び、当該無線基地局におけるコネクション確立制御方法に関する。
【背景技術】
【０００２】
３ＧＰＰ（Third Generation Partnership Project）において、現在、規格策定中のＬＴＥ（Long Term Evolution）等の無線通信システムでは、無線基地局（以下、「ＬＴＥ基地局」と称する）とコアネットワークとの間の論理的な伝送路であるＳ１コネクションに加えて、迅速なハンドオーバや、コアネットワークにおける処理負担軽減等を実現すべく、無線基地局間の論理的な伝送路であるＸ２コネクションが必要となる。
【０００３】
ＬＴＥ基地局は、Ｘ２コネクションを確立するために、隣接する他ＬＴＥ基地局の情報を取得し、当該他ＬＴＥ基地局の情報の一覧としての隣接基地局リスト（以下、「ネイバーリスト」と称する）を保持する。隣接する他ＬＴＥ基地局とは、ＬＴＥ基地局からの距離が近い他ＬＴＥ基地局を指す。ＬＴＥ基地局が、ネイバーリストを保持することによって、Ｘ２コネクションの確立や、ＬＴＥ基地局間の負荷分散、保守作業時の規制等の制御が実現可能となる。
【０００４】
ＬＴＥ基地局が、ネイバーリストを取得する際の手法として、ＡＮＲ（Automatic Neighbour Relation Function）の採用が考えられている。ＡＮＲは、ＬＴＥ基地局が、無線端末から定期的に、あるいは、イベントの度に送信されるメジャメントレポート（Measurement Report）を受信し、当該メジャメントレポートに基づいて、ネイバーリストを得る方式である（例えば、非特許文献１参照）。
【０００５】
また、ＬＴＥ基地局は、無線端末からのメジャメントレポートに基づいて、当該無線端末にハンドオーバを要求できる。メジャメントレポートには、無線端末がブロードキャストチャネル（ＢＣＨ）を介して受信した信号（ＢＣＨ信号）の送信元であるＬＴＥ基地局のＩＤや、当該信号の電波強度の情報等が含まれている。ＬＴＥ基地局は、メジャメントレポートに含まれるＬＴＥ基地局のＩＤや電波強度の情報に基づいて、ハンドオーバ先となるＬＴＥ基地局を特定し、無線端末に対して、適切なタイミングでハンドオーバの指示を行うことができる。
【０００６】
また、ＬＴＥの無線通信システムでは、パケットロスの少ないハンドオーバを実現するために、データフォワーディング機能が備えられている。データフォワーディング機能とは、ハンドオーバの直前において、ＬＴＥ基地局が、無線端末に対して送信しきれなかったデータを、Ｘ２コネクションを介してハンドオーバ先のＬＴＥ基地局へ転送する機能である。ハンドオーバ先のＬＴＥ基地局は、Ｘ２コネクションを介して受信したデータを、ハンドオーバによって新たに接続した無線端末に対して、無線チャネルを介して送信する。これによりハンドオーバ時のパケットロスを防ぐことができる。
【０００７】
ＬＴＥの無線通信システムでは、上述したＸ２コネクションを介してデータフォワーディングが実行されるハンドオーバ（以下、「Ｘ２ハンドオーバ」と称する）と、Ｓ１コネクションを介してデータフォワーディングが実行されるハンドオーバ（以下、「Ｓ１ハンドオーバ」と称する）とが規定されている。
【先行技術文献】
【非特許文献】
【０００８】
【非特許文献１】"3GPP TS 36.300 V8.5.0 (2008-05) "、［ｏｎｌｉｎｅ］、［平成２１年１２月１５日検索］、＜ＵＲＬ：http://www.arib.or.jp/IMT-2000/V700Sep08/5_Appendix/Rel8/36/36300-850.pdf＞
【発明の概要】
【発明が解決しようとする課題】
【０００９】
しかしながら、Ｘ２コネクションの確立が、保守者によって事前に設定されたり、ＯＡＭによって設定され、ＬＴＥ基地局が起動する際に実行される場合、Ｘ２コネクションは、ＬＴＥ基地局の稼働中には固定的に確立されたままであり、ハンドオーバの実績は考慮されない。このため、ハンドオーバに使用されないＸ２コネクション、換言すれば、無駄なＸ２コネクションが確立されてしまう可能性がある。
【００１０】
一方、ＬＴＥ基地局の稼働中に、Ｘ２コネクションを随時更新すべく、ＬＴＥ基地局が、メジャメントレポートに含まれるＩＤによって特定される他ＬＴＥ基地局との間でＸ２コネクションを確立する手法も考えられる。しかし、このようなメジャメントレポートに基づく手法では、ＬＴＥ基地局は、あくまでもハンドオーバ先となる可能性のある他ＬＴＥ基地局との間でＸ２コネクションを確立するに過ぎず、ハンドオーバの実績は考慮されない。したがって、メジャメントレポートに基づく手法においても、無駄なＸ２コネクションが確立されてしまう可能性がある。
【００１１】
上記問題点に鑑み、本発明は、他の無線基地局との間で適切なコネクションを確立することが可能な無線基地局、及び、コネクション確立制御方法を提供することを目的とする。
【課題を解決するための手段】
【００１２】
上述した課題を解決するために、本発明は以下のような特徴を有している。本発明の第１の特徴は、他の無線基地局との間の論理的な伝送路であるコネクション（Ｘ２コネクション）を確立する無線基地局（ＬＴＥ基地局１０−１）であって、無線端末のハンドオーバの履歴を示すハンドオーバ履歴情報を取得する履歴取得部（ハンドオーバ履歴取得部１５２）と、前記履歴取得部によって取得された前記ハンドオーバ履歴情報に基づいて、前記コネクションの確立の相手である前記他の無線基地局を決定する確立相手決定部（コネクション確立相手決定部１５４）と、自無線基地局との間で前記コネクションが確立されている前記他の無線基地局を、自無線基地局との間で前記コネクションが確立されていない前記他の無線基地局よりも優先して、前記無線端末のハンドオーバ先として決定するハンドオーバ先決定部（ハンドオーバ先決定部１５８）とを備えることを要旨とする。
【００１３】
過去において無線端末のハンドオーバ先となっていた他の無線基地局と、過去において無線端末のハンドオーバ先となっていない他の無線基地局とを比較すると、過去において無線端末のハンドオーバ先となっていた他の無線基地局から無線基地局へ、当該他の無線基地局に接続されていた無線端末がハンドオーバを行う可能性が高いと考えられる。従って、無線基地局が、無線端末のハンドオーバの履歴に基づいて、コネクションの確立の相手である他の無線基地局を決定することにより、ハンドオーバの実績を考慮したコネクションの確立が可能となり、ハンドオーバ先となる可能性の低い他の無線基地局との間で無駄なコネクションが確立されてしまうことを抑制し、適切なコネクションの確立が可能となる。
【００１４】
本発明の第２の特徴は、前記ハンドオーバ履歴情報は、前記無線端末の過去のハンドオーバ先である前記他の無線基地局との接続時間を含み、前記確立相手決定部は、所定の閾値以上である前記接続時間に対応する前記他の無線基地局を、前記コネクションの確立の相手として決定することを要旨とする。
【００１５】
本発明の第３の特徴は、前記確立相手決定部は、前記無線端末の過去のハンドオーバ先である前記無線基地局のうち、直近の所定数のハンドオーバ先である前記他の無線基地局の中から前記コネクションの確立の相手を決定することを要旨とする。
【００１６】
本発明の第４の特徴は、前記確立相手決定部は、前記無線端末と前記他の無線基地局との間の通信品質を取得し、前記通信品質に基づいて、前記コネクションの確立の相手である前記他の無線基地局を決定することを要旨とする。
【００１８】
本発明の第５の特徴は、他の無線基地局との間の論理的な伝送路であるコネクションを確立する無線基地局におけるコネクション確立制御方法であって、前記無線基地局が、無線端末のハンドオーバの履歴を示すハンドオーバ履歴情報を取得するステップと、前記無線基地局が、取得された前記ハンドオーバ履歴情報に基づいて、前記コネクションの確立の相手である前記他の無線基地局を決定するステップと、自無線基地局との間で前記コネクションが確立されている前記他の無線基地局を、自無線基地局との間で前記コネクションが確立されていない前記他の無線基地局よりも優先して、前記無線端末のハンドオーバ先として決定するステップとを備えることを要旨とする。
【発明の効果】
【００１９】
本発明によれば、他の無線基地局との間で適切なコネクションを確立することが可能となる。
【図面の簡単な説明】
【００２０】
【図１】本発明の実施形態に係る無線通信システムの全体概略構成図である。
【図２】本発明の実施形態に係る無線通信システムにおけるＳ１コネクションの確立状態を示す図である。
【図３】本発明の実施形態に係る、ＬＴＥ基地局の構成図である。
【図４】本発明の実施形態に係る、無線端末からのハンドオーバ履歴情報の一例を示す図である。
【図５】本発明の実施形態に係る、ネイバーリストの一例を示す図である。
【図６】本発明の実施形態に係る、無線端末からの第１のメジャメントレポートの一例を示す図である。
【図７】本発明の実施形態に係る、無線端末からの第２のメジャメントレポートの一例を示す図である。
【図８】本発明の実施形態に係る無線通信システムにおけるＸ２コネクション確立状態を示す図である。
【図９】本発明の実施形態に係るＬＴＥ基地局の第１の動作を示す第１のフローチャートである。
【図１０】本発明の実施形態に係るＬＴＥ基地局の第２の動作を示す第２のフローチャートである。
【図１１】本発明の実施形態に係るＬＴＥ基地局の第３の動作を示す第２のフローチャートである。
【発明を実施するための形態】
【００２１】
次に、図面を参照して、本発明の実施形態を説明する。具体的には、（１）無線通信システムの概略構成、（２）ＬＴＥ基地局の構成、（３）ＬＴＥ基地局の動作、（４）作用・効果、（５）その他の実施形態について説明する。以下の実施形態における図面の記載において、同一又は類似の部分には同一又は類似の符号を付している。
【００２２】
（１）無線通信システムの概略構成
図１は、本実施形態に係る無線通信システムの概略構成図である。本実施形態では、無線通信システム１は、ＬＴＥ技術を用いて構成されている。図１に示す無線通信システム１は、無線基地局（ＬＴＥ基地局）１０−１、１０−２、１０−３と、上位ネットワークとしてのコアネットワークに設けられた転送制御装置であるＭＭＥ（Mobile Management Entity）／ＳＧＷ（Serving Gateway）２０−１、２０−２と、バックボーンネットワーク３０と、無線端末４０とを含む。
【００２３】
初期状態においては、ＬＴＥ基地局１０−１乃至１０−３と、ＭＭＥ／ＳＧＷ２０−１及び２０−２との間には、バックボーンネットワーク３０を介して、トランスポート層の論理的な伝送路であるＳ１コネクションのみが確立されている。
【００２４】
図２は、無線通信システム１における初期状態のＳ１コネクションの確立状態を示す図である。図２において、ＬＴＥ基地局１０−１とＭＭＥ／ＳＧＷ２０−１との間には、Ｓ１コネクション＃１が確立されている。また、ＬＴＥ基地局１０−２とＭＭＥ／ＳＧＷ２０−１との間には、Ｓ１コネクション＃２が確立され、ＬＴＥ基地局１０−２とＭＭＥ／ＳＧＷ２０−２との間には、Ｓ１コネクション＃３が確立されている。また、ＬＴＥ基地局１０−３とＭＭＥ／ＳＧＷ２０−２との間には、Ｓ１コネクション＃４が確立されている。なお、更に、ＬＴＥ基地局１０−１とＭＭＥ／ＳＧＷ２０−２との間にＳ１コネクションが確立され、ＬＴＥ基地局１０−３とＭＭＥ／ＳＧＷ２０−１との間にＳ１コネクションが確立されていてもよい。
【００２５】
ＬＴＥ基地局１０−１乃至１０−３と、無線端末４０とは、無線通信区間を介して無線通信を行う。ＬＴＥにおいて、ＬＴＥ基地局１０−１乃至１０−３と、無線端末４０との間の通信方式は、Ｅ−ＵＴＲＡＮ（Evolved UMTS Terrestrial Radio Access Network）と称される。
【００２６】
（２）ＬＴＥ基地局の構成
図３は、ＬＴＥ基地局の構成を示す図である。図２に示すＬＴＥ基地局１０−１は、制御部１０２、記憶部１０３、Ｉ／Ｆ部１０４、無線通信部１０６、アンテナ１０８を含む。なお、ＬＴＥ基地局１０−２及び１０−３も、ＬＴＥ基地局１０−１と同様の構成を有する。
【００２７】
制御部１０２は、例えばＣＰＵによって構成され、ＬＴＥ基地局１０−１が具備する各種機能を制御する。記憶部１０３は、例えばメモリによって構成され、ＬＴＥ基地局１０−１における制御などに用いられる各種情報を記憶する。
【００２８】
Ｉ／Ｆ部１０４は、バックボーンネットワーク３０に接続されている。無線通信部１０６は、ＲＦ回路、ベースバンド回路等を含み、変調及び復調、符号化及び復号等を行い、アンテナ１０８を介して、無線端末４０との間で、無線信号の送信及び受信を行う。
【００２９】
制御部１０２は、ハンドオーバ履歴取得部１５２、コネクション確立相手決定部１５４、コネクション確立処理部１５６、ハンドオーバ先決定部１５８及びハンドオーバ処理部１６０を含む。
【００３０】
他ＬＴＥ基地局（ここではＬＴＥ基地局１０−１以外のＬＴＥ基地局１０−２やＬＴＥ基地局１０−３）は、自ＬＴＥ基地局と接続している無線端末４０のハンドオーバに際して、ハンドオーバ先となる他ＬＴＥ基地局（ここではＬＴＥ基地局１０−１）へハンドオーバ要求を送信する。
【００３１】
このハンドオーバ要求には、無線端末４０の過去のハンドオーバ毎に、当該ハンドオーバによって新たな接続先となった他ＬＴＥ基地局の識別情報であるグローバルＩＤ（Ｇｌｏｂａｌ−ＣＩＤ）と、当該新たな接続先となった他ＬＴＥ基地局との接続時間とが含まれる。接続時間は、無線端末４０におけるハンドオーバ毎に、当該無線端末４０によって測定される。図４は、ハンドオーバ履歴情報の一例を示す図である。図４では、ハンドオーバ履歴情報は、対応するハンドオーバが行われた時期の新しい順に並べられている。
【００３２】
ハンドオーバ履歴取得部１５２は、Ｉ／Ｆ部１０４を介して、他ＬＴＥ基地局からのハンドオーバ要求を、Ｉ／Ｆ部１０４を介して受信する。
【００３３】
次に、ハンドオーバ履歴取得部１５２は、記憶部１０３に記憶されているネイバーリスト（neighbor list）を読み出す。図５は、ネイバーリストの一例を示す図である。図５に示すネイバーリストは、過去にＬＴＥ基地局１０−１がハンドオーバ元となった場合のハンドオーバにおける、ハンドオーバ先の他ＬＴＥ基地局のＧｌｏｂａｌ−ＣＩＤと、ＬＴＥ基地局１０−１とハンドオーバ先の他ＬＴＥ基地局との間でＸ２コネクションが確立されているか否かを示すＸ２コネクション確立情報とを含んでいる。
【００３４】
次に、ハンドオーバ履歴取得部１５２は、読み出したネイバーリストを更新する。具体的には、ハンドオーバ履歴取得部１５２は、ハンドオーバ履歴情報内のＧｌｏｂａｌ−ＣＩＤのうち、ネイバーリストに含まれていないＧｌｏｂａｌ−ＣＩＤを特定する。更に、ハンドオーバ履歴取得部１５２は、ネイバーリストに、特定したＧｌｏｂａｌ−ＣＩＤを追加するとともに、当該Ｇｌｏｂａｌ−ＣＩＤに対応するＸ２コネクション確立情報を「未確立」とする。
【００３５】
次に、ハンドオーバ処理部１６０は、ＬＴＥ基地局１０−１とハンドオーバ要求の送信元である他ＬＴＥ基地局との間で、トランスポート層の論理的な伝送路であるＸ２コネクションを介してデータフォワーディングが実行されるハンドオーバ（Ｘ２ハンドオーバ）が可能であるか否かを判定する。
【００３６】
具体的には、ハンドオーバ処理部１６０は、ネイバーリスト内のＧｌｏｂａｌ−ＣＩＤのうち、ハンドオーバ要求の送信元の他ＬＴＥ基地局のＧｌｏｂａｌ−ＣＩＤに対応するＸ２コネクション確立情報が「確立済」であるか否かを判定する。Ｘ２コネクション確立情報が「確立済」である場合には、ハンドオーバ処理部１６０は、ＬＴＥ基地局１０−１とハンドオーバ要求の送信元である他ＬＴＥ基地局との間で、Ｘ２ハンドオーバが可能であると判断する。
【００３７】
ＬＴＥ基地局１０−１とハンドオーバ要求の送信元である他ＬＴＥ基地局との間で、Ｘ２ハンドオーバが可能である場合には、ハンドオーバ処理部１６０は、無線端末４０について、ハンドオーバ要求の送信元である他ＬＴＥ基地局がハンドオーバ元であり、自ＬＴＥ基地局１０−１がハンドオーバ先となるＸ２ハンドオーバを行う。
【００３８】
一方、ＬＴＥ基地局１０−１とハンドオーバ要求の送信元である他ＬＴＥ基地局との間で、Ｘ２ハンドオーバが可能でない場合には、ハンドオーバ処理部１６０は、無線端末４０について、ハンドオーバ要求の送信元である他ＬＴＥ基地局がハンドオーバ元であり、自ＬＴＥ基地局１０−１がハンドオーバ先となる、Ｓ１コネクションを介したハンドオーバ（Ｓ１ハンドオーバ）を行う。
【００３９】
ハンドオーバによってＬＴＥ基地局１０−１に接続した無線端末４０は、周辺のＬＴＥ基地局からのブロードキャストコントロールチャネル（ＢＣＨ）信号を受信する。このＢＣＨ信号には、送信元のＬＴＥ基地局の識別情報である、物理ＩＤ（Ｐｈｙ−ＣＩＤ）と、グローバルＩＤ（Ｇｌｏｂａｌ−ＣＩＤ）とが含まれている。次に、無線端末４０は、ＢＣＨ信号の電波強度を測定する。次に、無線端末４０は、Ｐｈｙ−ＣＩＤと電波強度とを含んだメジャメントレポートを生成し、ＬＴＥ基地局１０−１へ送信する。図６は、無線端末４０からの第１のメジャメントレポートを示す図である。
【００４０】
コネクション確立相手決定部１５４は、無線端末４０からの第１のメジャメントレポートを、アンテナ１０８及び無線通信部１０６を介して受信する。
【００４１】
次に、コネクション確立相手決定部１５４は、無線通信部１０６及びアンテナ１０８を介して、無線端末４０に対して、第１のメジャメントレポートに含まれる、他ＬＴＥ基地局のＰｈｙ−ＣＩＤに対応するＧｌｏｂａｌ−ＣＩＤの要求を送信する。このＧｌｏｂａｌ−ＣＩＤ要求には、他ＬＴＥ基地局のＰｈｙ−ＣＩＤが含まれている。
【００４２】
無線端末４０は、Ｇｌｏｂａｌ−ＣＩＤ要求を受信すると、当該Ｇｌｏｂａｌ−ＣＩＤ要求に含まれる、他ＬＴＥ基地局のＰｈｙ−ＣＩＤに基づいて、他ＬＴＥ基地局のＧｌｏｂａｌ−ＣＩＤを特定する。更に、無線端末４０は、ＬＴＥ基地局１０−１に対して、他ＬＴＥ基地局のＧｌｏｂａｌ−ＣＩＤを送信する。図７は、無線端末４０からの第２のメジャメントレポートであるＧｌｏｂａｌ−ＣＩＤを示す図である。
【００４３】
コネクション確立相手決定部１５４は、無線端末４０からの他ＬＴＥ基地局のＧｌｏｂａｌ−ＣＩＤを、アンテナ１０８及び無線通信部１０６を介して受信する。次に、コネクション確立相手決定部１５４は、受信した他ＬＴＥ基地局のＧｌｏｂａｌ−ＣＩＤである第２のメジャメントレポートを、当該他ＬＴＥ基地局に対応する第１のメジャメントレポートに対応付ける。更に、コネクション確立相手決定部１５４は、第１のメジャメントレポートと第２のメジャメントレポートからなるメジャメントレポートを記憶部１０３に記憶させる。
【００４４】
次に、コネクション確立相手決定部１５４は、記憶部１０３に記憶されたハンドオーバ履歴情報について、対応するハンドオーバの時期が新しいものから順に１つずつ選択する。
【００４５】
更に、コネクション確立相手決定部１５４は、選択したハンドオーバ履歴情報内の接続時間、換言すれば、無線端末４０と選択したハンドオーバ履歴情報に対応する他ＬＴＥ基地局との接続時間が閾値以上であるか否かを判定する。閾値は、例えば、記憶部１０３に記憶されている。
【００４６】
無線端末４０と選択したハンドオーバ履歴情報に対応する他ＬＴＥ基地局との接続時間が閾値以上である場合、コネクション確立相手決定部１５４は、無線端末４０における、選択したハンドオーバ履歴情報に対応するＬＴＥ基地局からのＢＣＨ信号の電波強度が所定値以上であるか否かを判定する。
【００４７】
具体的には、コネクション確立相手決定部１５４は、選択したハンドオーバ履歴情報内のＧｌｏｂａｌ−ＣＩＤを特定する。次に、コネクション確立相手決定部１５４は、記憶部１０３に記憶されたメジャメントレポートのうち、特定したＧｌｏｂａｌ−ＣＩＤを含むメジャメントレポートを特定する。次に、コネクション確立相手決定部１５４は、特定したメジャメントレポート内の電波強度を特定し、当該電波強度が所定値以上であるか否かを判定する。所定値は、例えば記憶部１０３に記憶されている。
【００４８】
特定した電波強度が所定値以上である場合には、コネクション確立相手決定部１５４は、メジャメントレポートにおいて、特定した電波強度に対応付けられているＧｌｏｂａｌ−ＣＩＤを特定し、当該Ｇｌｏｂａｌ−ＣＩＤに対応する他ＬＴＥ基地局を、Ｘ２コネクションの確立相手として決定する。Ｘ２コネクションの確立相手を決定した場合には、コネクション確立相手決定部１５４は、それ以上のハンドオーバ履歴情報の選択を行わず、一連の処理を終了する。
【００４９】
一方、特定した電波強度が所定値未満である場合には、コネクション確立相手決定部１５４は、上述した、対応するハンドオーバの時期が新しいものから順にハンドオーバ履歴情報を選択するという選択順序に従って、次のハンドオーバ履歴情報を選択する。その後は、コネクション確立相手決定部１５４は、上述した処理、すなわち、無線端末４０と選択したハンドオーバ履歴情報に対応する他ＬＴＥ基地局との接続時間が閾値以上であるか否かの判定、選択したハンドオーバ履歴情報に対応する他ＬＴＥ基地局からのＢＣＨ信号の電波強度が所定値以上であるか否かの判定、Ｘ２コネクションの確立相手の決定処理を繰り返す。そして、Ｘ２コネクションの確立相手を決定した場合には、コネクション確立相手決定部１５４は、それ以上のハンドオーバ履歴情報の選択を行わず、一連の処理を終了する。
【００５０】
また、コネクション確立相手決定部１５４は、ハンドオーバ履歴情報の選択数が予め定められた上限値に達した場合には、それ以上のハンドオーバ履歴情報の選択を行わない。この場合、コネクション確立相手決定部１５４は、無線端末４０と最後に選択したハンドオーバ履歴情報に対応する他ＬＴＥ基地局との接続時間が閾値以上であり、且つ、最後に選択したハンドオーバ履歴情報に対応するＬＴＥ基地局からのＢＣＨ信号の電波強度が所定値以上である場合には、最後に選択したハンドオーバ履歴情報に対応する他ＬＴＥ基地局をＸ２コネクションの確立相手として決定する。一方、コネクション確立相手決定部１５４は、無線端末４０と最後に選択したハンドオーバ履歴情報に対応する他ＬＴＥ基地局との接続時間が閾値未満である場合や、最後に選択したハンドオーバ履歴情報に対応する他ＬＴＥ基地局からのＢＣＨ信号の電波強度が所定値未満である場合には、最初に選択したハンドオーバ履歴情報に対応する他ＬＴＥ基地局をＸ２コネクションの確立相手として決定する、あるいは、Ｘ２コネクションの確立相手を決定せずに一連の処理を終了する。
【００５１】
コネクション確立相手決定部１５４によって、Ｘ２コネクションの確立相手である他ＬＴＥ基地局が決定された後、コネクション確立処理部１５６は、Ｘ２コネクションの確立要求である、ＳＣＴＰ（Stream Control Transmission Protocol）接続要求を生成する。更に、コネクション確立処理部１５６は、ＳＣＴＰ接続要求を、Ｉ／Ｆ部１０４及びバックボーンネットワーク３０を介して、Ｘ２コネクションの確立相手である他ＬＴＥ基地局へ送信する。その後は、ＬＴＥ基地局１０−１と、ＳＣＴＰ接続要求を受信した他ＬＴＥ基地局との間で、Ｘ２コネクションが確立される。なお、ネイバーリストにおける、Ｘ２コネクションの確立相手である他ＬＴＥ基地局に対応するＸ２コネクション確立情報を「確立済」である場合には、コネクション確立処理部１５６は、Ｘ２コネクションの確立処理を行わない。
【００５２】
Ｘ２コネクションの確立後、コネクション確立処理部１５６は、ネイバーリストにおける、ＳＣＴＰ接続要求の送信先である他ＬＴＥ基地局のＧｌｏｂａｌ−ＣＩＤに対応するＸ２コネクション確立情報を、未確立から確立済に更新する。
【００５３】
図８は、無線通信システム１におけるＸ２コネクションの確立状態を示す図である。ＬＴＥ基地局１０−１、１０−２、１０−３のそれぞれに対応するハンドオーバ履歴情報が存在し、無線端末４０とＬＴＥ基地局１０−１、１０−２、１０−３のそれぞれとの接続時間が閾値以上であり、更に、無線端末４０における、ＬＴＥ基地局１０−１、１０−２、１０−３のそれぞれからのＢＣＨ信号の電波強度が所定値以上である場合を考える。この場合には、図８に示すように、ＬＴＥ基地局１０−１とＬＴＥ基地局１０−２との間には、Ｘ２コネクション＃１が確立される。また、ＬＴＥ基地局１０−１とＬＴＥ基地局１０−３との間には、Ｘ２コネクション＃２が確立される。更に、ＬＴＥ基地局１０−２とＬＴＥ基地局１０−３との間には、Ｘ２コネクション＃３が確立される。
【００５４】
このようにしてＸ２コネクションが確立された後、ハンドオーバ先決定部１５８は、アンテナ１０８及び無線通信部１０６を介して、無線端末４０からの第１のメジャメントレポートを受信し、更に第２メジャメントレポートを受信する。具体的な受信処理は、コネクション確立相手決定部１５４による受信処理と同様である。更に、ハンドオーバ先決定部１５８は、第１のメジャメントレポートと第２のメジャメントレポートからなるメジャメントレポートを記憶部１０３に記憶させる。
【００５５】
その後、ハンドオーバ先決定部１５８は、無線端末４０からの他ＬＴＥ基地局のＧｌｏｂａｌ−ＣＩＤを、アンテナ１０８及び無線通信部１０６を介して受信する。
【００５６】
次に、ハンドオーバ先決定部１５８は、第１のメジャメントレポートに含まれる、ＬＴＥ基地局１０−１に対応する電波強度、換言すれば、ＬＴＥ基地局１０−１が送信したＢＣＨ信号の無線端末４０における電波強度が第１の閾値未満であるか否かを判定する。更に、ハンドオーバ先決定部１５８は、第１のメジャメントレポートに含まれる、ＬＴＥ基地局１０−１以外のＬＴＥ基地局（他ＬＴＥ基地局）の何れかに対応する電波強度が第２の閾値以上であるか否かを判定する。ここで、第２の閾値は、第１の閾値以上の値であり、第１の敷地及び第２の閾値は、それぞれ記憶部１０３に記憶されている。
【００５７】
ＬＴＥ基地局１０−１に対応する電波強度が第１の閾値未満であって、且つ、他ＬＴＥ基地局に対応する電波強度が第２の閾値以上である場合には、ハンドオーバ先決定部１５８は、無線端末４０がＬＴＥ基地局１０−１から他ＬＴＥ基地局へハンドオーバを行う契機に至ったと判定する。
【００５８】
無線端末４０がハンドオーバの契機に至った場合、ハンドオーバ先決定部１５８は、対応する電波強度が第２の閾値以上である他ＬＴＥ基地局を、ハンドオーバ先候補として決定する。
【００５９】
更に、ハンドオーバ先決定部１５８は、ハンドオーバ先候補の他ＬＴＥ基地局の中に、ＬＴＥ基地局１０−１との間でＸ２コネクションを確立済みの他ＬＴＥ基地局が少なくとも１つ存在するか否かを判定する。具体的には、ハンドオーバ先決定部１５８は、ネイバーリストにおいて、ハンドオーバ先候補の他ＬＴＥ基地局のＧｌｏｂａｌ−ＣＩＤに対応付けられているＸ２コネクション確立情報が「確立済」であるか否かを判定する。そして、Ｘ２コネクション確立情報が「確立済」である場合には、当該Ｘ２コネクション確立情報に対応付けられているＧｌｏｂａｌ−ＣＩＤによって特定される、ハンドオーバ先候補の他ＬＴＥ基地局と、ＬＴＥ基地局１０−１との間でＸ２コネクションが確立済みであると判断する。
【００６０】
ハンドオーバ先候補の他ＬＴＥ基地局の中に、ＬＴＥ基地局１０−１との間でＸ２コネクションを確立済みの他ＬＴＥ基地局が少なくとも１つ存在する場合、ハンドオーバ先決定部１５８は、ＬＴＥ基地局１０−１との間でＸ２コネクションを確立済みの他ＬＴＥ基地局の何れかをハンドオーバ先に決定する。例えば、ハンドオーバ先決定部１５８は、ネイバーリストに基づいて、ＬＴＥ基地局１０−１との間でＸ２コネクションを確立済みの他ＬＴＥ基地局のうち、対応する電波強度が最大の他ＬＴＥ基地局を、ハンドオーバ先として決定する。
【００６１】
一方、ハンドオーバ先候補の他ＬＴＥ基地局の中に、ＬＴＥ基地局１０−１との間でＸ２コネクションを確立済みの他ＬＴＥ基地局が１つもない場合、ハンドオーバ先決定部１５８は、ハンドオーバ先候補の他ＬＴＥ基地局の何れか、換言すれば、ＬＴＥ基地局１０−１との間でＸ２コネクションが確立されていない他ＬＴＥ基地局の何れかを、ハンドオーバ先に決定する。例えば、ハンドオーバ先決定部１５８は、ネイバーリストに基づいて、対応する電波強度が最大の他ＬＴＥ基地局を、ハンドオーバ先として決定する。
【００６２】
ＬＴＥ基地局１０−１との間でＸ２コネクションを確立済みの他ＬＴＥ基地局がハンドオーバ先として決定された場合、ハンドオーバ処理部１６０は、無線端末４０について、ＬＴＥ基地局１０−１がハンドオーバ元としたＸ２ハンドオーバを行う。
【００６３】
一方、ＬＴＥ基地局１０−１との間でＸ２コネクションが確立されていない他ＬＴＥ基地局がハンドオーバ先として決定された場合、ハンドオーバ処理部１６０は、無線端末４０について、ＬＴＥ基地局１０−１がハンドオーバ元としたＳ１ハンドオーバを行う。
【００６４】
（３）ＬＴＥ基地局の動作
次に、ＬＴＥ基地局１０−１の動作を説明する。なお、ＬＴＥ基地局１０−２及び１０−３も、ＬＴＥ基地局１０−１と同様の動作を行う。以下においては、ハンドオーバ履歴情報の選択数の上限値が２であるものとし、無線端末４０におけるハンドオーバの時期が新しいものから順に、他ＬＴＥ基地局は、第１履歴基地局、第２履歴基地局とする。
【００６５】
図９は、ＬＴＥ基地局１０−１の第１の動作を示すフローチャート、  図１０は、ＬＴＥ基地局１０−１の第２の動作を示すフローチャート、図１０は、ＬＴＥ基地局１０−１の第３の動作を示すフローチャートである。
【００６６】
図９のステップＳ１０１において、ＬＴＥ基地局１０−１は、他ＬＴＥ基地局からのハンドオーバ履歴情報を含んだハンドオーバ要求を受信する。
【００６７】
ステップＳ１０２において、ＬＴＥ基地局１０−１は、ハンドオーバ履歴情報に基づいて、ネイバーリストを更新する。この更新により、ハンドオーバ履歴情報に対応する他ＬＴＥ基地局について、ネイバーリストが生成されることになる。
【００６８】
ステップＳ１０３において、ＬＴＥ基地局１０−１は、当該ＬＴＥ基地局１０−１とハンドオーバ要求の送信元である他ＬＴＥ基地局との間で、Ｘ２ハンドオーバが可能であるか否かを判定する。
【００６９】
Ｘ２ハンドオーバが可能である場合、ステップＳ１０４において、ＬＴＥ基地局１０−１は、ハンドオーバ要求の送信元である他ＬＴＥ基地局との間で、Ｘ２ハンドオーバを行う。一方、Ｘ２ハンドオーバが可能でない場合、ステップＳ１０５において、ＬＴＥ基地局１０−１は、ハンドオーバ要求の送信元である他ＬＴＥ基地局との間で、Ｓ１ハンドオーバを行う。
【００７０】
ステップＳ１０４におけるＸ２ハンドオーバの後、又は、ステップＳ１０５におけるＳ１ハンドオーバの後、ステップＳ１０６において、ＬＴＥ基地局１０−１は、ハンドオーバによってＬＴＥ基地局１０−１に接続した無線端末４０からのメジャメントレポートを受信する。
【００７１】
その後、図１０に示す動作に移行し、ステップＳ１１１において、ＬＴＥ基地局１０−１は、ハンドオーバ履歴情報に基づいて、無線端末４０と他ＬＴＥ基地局である第１履歴基地局との接続時間が閾値以上であるか否かを判定する。
【００７２】
無線端末４０と他ＬＴＥ基地局である第１履歴基地局との接続時間が閾値以上である場合、ステップＳ１１２において、ＬＴＥ基地局１０−１は、メジャメントレポートに基づいて、無線端末４０における、第１履歴基地局からの電波強度が所定値以上であるか否かを判定する。
【００７３】
無線端末４０における、第１履歴基地局からの電波強度が所定値以上である場合、ステップＳ１１３において、ＬＴＥ基地局１０−１は、第１履歴基地局をＸ２コネクションの確立相手に決定する。更に、ステップＳ１１４において、ＬＴＥ基地局１０−１は、第１履歴基地局との間でＸ２コネクションを確立する。
【００７４】
一方、ステップＳ１１１において、無線端末４０と他ＬＴＥ基地局である第１履歴基地局との接続時間が閾値未満と判定された場合、又は、ステップＳ１１２において、無線端末４０における、第１履歴基地局からの電波強度が所定値未満であると判定された場合、ステップＳ１１５において、ＬＴＥ基地局１０−１は、第２履歴基地局が存在するか否かを判定する。ここでは、ＬＴＥ基地局１０−１は、図９のステップＳ１０１において、ハンドオーバ履歴情報を２つ以上受信している場合には、第２履歴基地局が存在すると判定する。
【００７５】
第２履歴基地局が存在しない場合には、ステップＳ１１３において、ＬＴＥ基地局１０−１は、第１履歴基地局をＸ２コネクションの確立相手に決定する。更に、ステップＳ１１４において、ＬＴＥ基地局１０−１は、第１履歴基地局との間でＸ２コネクションを確立する。
【００７６】
一方、第２履歴基地局が存在する場合には、ステップＳ１１６において、ＬＴＥ基地局１０−１は、ハンドオーバ履歴情報に基づいて、無線端末４０と他ＬＴＥ基地局である第２履歴基地局との接続時間が閾値以上であるか否かを判定する。
【００７７】
無線端末４０と他ＬＴＥ基地局である第２履歴基地局との接続時間が閾値未満である場合、ステップＳ１１３において、ＬＴＥ基地局１０−１は、第１履歴基地局をＸ２コネクションの確立相手に決定する。更に、ステップＳ１１４において、ＬＴＥ基地局１０−１は、第１履歴基地局との間でＸ２コネクションを確立する。
【００７８】
一方、無線端末４０と他ＬＴＥ基地局である第２履歴基地局との接続時間が閾値以上である場合、ステップＳ１１７において、ＬＴＥ基地局１０−１は、メジャメントレポートに基づいて、無線端末４０における、第２履歴基地局からの電波強度が所定値以上であるか否かを判定する。
【００７９】
無線端末４０と他ＬＴＥ基地局である第２履歴基地局からの電波強度が所定値未満である場合、ステップＳ１１３において、ＬＴＥ基地局１０−１は、第１履歴基地局をＸ２コネクションの確立相手に決定する。更に、ステップＳ１１４において、ＬＴＥ基地局１０−１は、第１履歴基地局との間でＸ２コネクションを確立する。
【００８０】
一方、無線端末４０と他ＬＴＥ基地局である第１履歴基地局との接続時間が閾値以上である場合、ステップＳ１１８において、ＬＴＥ基地局１０−１は、第２履歴基地局をＸ２コネクションの確立相手に決定する。更に、ステップＳ１１９において、ＬＴＥ基地局１０−１は、第２履歴基地局との間でＸ２コネクションを確立する。
【００８１】
ステップＳ１１４において、第１履歴基地局との間でＸ２コネクションが確立された後、又は、ステップＳ１１９において、第２履歴基地局との間でＸ２コネクションが確立された後、ステップＳ１２０において、ＬＴＥ基地局１０−１は、ネイバーリストにおける、Ｘ２コネクションの確立相手の他ＬＴＥ基地局に対応するネイバーリストを更新する。
【００８２】
その後、以下のように、無線端末４０について、ＬＴＥ基地局１０−１がハンドオーバ元、他ＬＴＥ基地局がハンドオーバ先となるハンドオーバが行われる。
【００８３】
図１１のステップＳ２０１において、ＬＴＥ基地局１０−１は、無線端末４０からのメジャメントレポートを受信する。
【００８４】
ステップＳ２０２において、ＬＴＥ基地局１０−１は、無線端末４０がＬＴＥ基地局１０−１から他ＬＴＥ基地局へハンドオーバを行う契機であるか否かを判定する。
【００８５】
ハンドオーバ契機でない場合には、ステップＳ２０１におけるメジャメントレポートの受信以降の動作が繰り返される。
【００８６】
一方、ハンドオーバ契機である場合、ステップＳ２０３において、ＬＴＥ基地局１０−１は、ハンドオーバ先候補の他ＬＴＥ基地局を特定する。
【００８７】
ステップＳ２０４において、ＬＴＥ基地局１０−１は、ハンドオーバ先候補の他ＬＴＥ基地局の中に、ＬＴＥ基地局１０−１との間でＸ２コネクションを確立済みの他ＬＴＥ基地局が少なくとも１つ存在するか否かを判定する。
【００８８】
ハンドオーバ先候補の他ＬＴＥ基地局の中に、ＬＴＥ基地局１０−１との間でＸ２コネクションを確立済みの他ＬＴＥ基地局が少なくとも１つ存在する場合、ステップＳ２０５において、ＬＴＥ基地局１０−１は、ＬＴＥ基地局１０−１との間でＸ２コネクションを確立済みの他ＬＴＥ基地局の何れかをハンドオーバ先に決定する。更に、ステップＳ２０６において、ＬＴＥ基地局１０−１は、決定したハンドオーバ先の他ＬＴＥ基地局との間で、Ｘ２ハンドオーバを行う。
【００８９】
一方、ハンドオーバ先候補の他ＬＴＥ基地局の中に、ＬＴＥ基地局１０−１との間でＸ２コネクションを確立済みの他ＬＴＥ基地局が１つもない場合、ステップＳ２０７において、ＬＴＥ基地局１０−１は、ＬＴＥ基地局１０−１との間でＸ２コネクションが確立されていない他ＬＴＥ基地局の何れかを、ハンドオーバ先に決定する。更に、ステップＳ２０８において、ＬＴＥ基地局１０−１は、決定したハンドオーバ先の他ＬＴＥ基地局との間で、Ｓ１ハンドオーバを行う。
【００９０】
（４）作用・効果
このように、本発明の実施形態に係る無線通信システム１では、ＬＴＥ基地局１０−１は、無線端末４０のハンドオーバの履歴を示すハンドオーバ履歴情報を取得する。更に、ＬＴＥ基地局１０−１は、取得したハンドオーバ履歴情報に基づいて、Ｘ２コネクションの確立の相手である他ＬＴＥ基地局を決定する。
【００９１】
過去において無線端末４０のハンドオーバ先となっていた他ＬＴＥ基地局と、過去において無線端末４０のハンドオーバ先となっていない他ＬＴＥ基地局とを比較すると、過去において無線端末４０のハンドオーバ先となっていた他ＬＴＥ基地局からＬＴＥ基地局１０−１へ、当該他ＬＴＥ基地局に接続されていた無線端末４０がハンドオーバを行う可能性が高いと考えられる。従って、ＬＴＥ基地局１０−１が、無線端末４０のハンドオーバの履歴に基づいて、Ｘ２コネクションの確立相手である他ＬＴＥ基地局を決定することにより、ハンドオーバの実績を考慮したＸ２コネクションの確立が可能となる。更には、ハンドオーバ先となる可能性の低い他ＬＴＥ基地局との間で無駄なＸ２コネクションが確立されてしまうことを抑制し、適切なＸ２コネクションの確立が可能となる。
【００９２】
また、ＬＴＥ基地局１０−１は、ハンドオーバ履歴情報に基づいて、過去における無線端末４０との接続時間が閾値以上である他ＬＴＥ基地局を、Ｘ２コネクションの確立相手として決定する。
【００９３】
過去において無線端末４０との接続時間が長い他ＬＴＥ基地局は、無線端末４０との間で安定した通信接続を行っていたと考えられる。このため、今後、無線端末４０が、ＬＴＥ基地局１０−１から他ＬＴＥ基地局へのハンドオーバを行った場合であっても、無線端末４０は、他ＬＴＥ基地局との間で安定した通信接続を行うことが可能となると考えられる。従って、ＬＴＥ基地局１０−１が、過去における無線端末４０との接続時間が閾値以上である他ＬＴＥ基地局を、Ｘ２コネクションの確立相手として決定することにより、ハンドオーバ先となる可能性の低い他ＬＴＥ基地局との間で無駄なＸ２コネクションが確立されてしまうことを抑制し、適切なＸ２コネクションの確立が可能となる。
【００９４】
また、ＬＴＥ基地局１０−１は、対応するハンドオーバの時期が新しいものから順にハンドオーバ履歴情報を選択し、無線端末４０と選択したハンドオーバ履歴情報に対応する他ＬＴＥ基地局との接続時間が閾値以上であるか否かの判定、選択したハンドオーバ履歴情報に対応する他ＬＴＥ基地局からのＢＣＨ信号の電波強度が所定値以上であるか否かの判定、Ｘ２コネクションの確立相手の決定処理を行うが、ハンドオーバ履歴情報の選択数が予め定められた上限値に達した場合には、それ以上のハンドオーバ履歴情報の選択を行わない。
【００９５】
これにより、無線端末４０との間のハンドオーバの時期が新しい所定数の他ＬＴＥ基地局のみが、Ｘ２コネクションの確立相手となり得ることになる。対応するハンドオーバの時期が古い他ＬＴＥ基地局ほど、無線端末４０のハンドオーバ先となる可能性は低くなると考えられる。従って、ＬＴＥ基地局１０−１が、対応するハンドオーバの時期が新しい所定数の他ＬＴＥ基地局のみを、Ｘ２コネクションの確立相手となり得るようにすることで、ハンドオーバ先となる可能性の低い他ＬＴＥ基地局との間で無駄なＸ２コネクションが確立されてしまうことを抑制し、適切なＸ２コネクションの確立が可能となる。
【００９６】
また、ＬＴＥ基地局１０−１は、無線端末４０において、他ＬＴＥ基地局からのＢＣＨ信号の電波強度が測定される場合、当該電波強度が所定値以上である他ＬＴＥ基地局のみをＸ２コネクションの確立相手となり得るようにする。
【００９７】
無線端末４０における電波強度が低い他ＬＴＥ基地局は、ハンドオーバ先となる可能性が低いと考えられる。従って、ＬＴＥ基地局１０−１が、無線端末４０における電波強度が所定値以上である他ＬＴＥ基地局のみをＸ２コネクションの確立相手となり得るようにすることで、ハンドオーバ先となる可能性の低い他ＬＴＥ基地局との間で無駄なＸ２コネクションが確立されてしまうことを抑制し、適切なＸ２コネクションの確立が可能となる。
【００９８】
また、本発明の実施形態に係る無線通信システム１では、ＬＴＥ基地局１０−１は、ハンドオーバ先候補として決定した他ＬＴＥ基地局の中に、ＬＴＥ基地局１０−１との間でＸ２コネクションが確立されている他ＬＴＥ基地局が少なくとも１つ存在する場合には、当該ＬＴＥ基地局１０−１との間でＸ２コネクションが確立されている他ＬＴＥ基地局をハンドオーバ先とする。一方、ＬＴＥ基地局１０−１との間でＸ２コネクションが確立されている他ＬＴＥ基地局が１つも存在しない場合には、ＬＴＥ基地局１０−１は、当該ＬＴＥ基地局１０−１との間でＸ２コネクションが確立されていない他ＬＴＥ基地局をハンドオーバ先とする。
【００９９】
これにより、ＬＴＥ基地局１０−１は、当該ＬＴＥ基地局１０−１との間でＸ２コネクションが確立されている他ＬＴＥ基地局を、優先的にハンドオーバ先とする。このため、ＬＴＥ基地局１０−１との間でＸ２コネクションが確立されている他ＬＴＥ基地局は、Ｘ２コネクションが確立されていない他ＬＴＥ基地局よりも、ハンドオーバ先となる可能性が高くなる。換言すれば、Ｘ２コネクションの確立状態を何ら考慮せずにハンドオーバ先が決定される場合よりも、ハンドオーバ先となる他ＬＴＥ基地局は、限定的になる。従って、ＬＴＥ基地局が密集して設置されているような環境において、ハンドオーバ先候補が多数存在し、その結果、ハンドオーバが頻発して無線通信システム１全体の負荷が上昇してしまうことが防止される。
【０１００】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１０１】
上述した実施形態では、ＬＴＥ基地局１０−１は、ハンドオーバ履歴情報とメジャメントレポートの双方に基づいて、Ｘ２コネクションの確立相手である他ＬＴＥ基地局を決定した。しかし、ＬＴＥ基地局１０−１は、ハンドオーバ履歴情報のみに基づいて、他ＬＴＥ基地局のうち、対応するハンドオーバ履歴情報内の接続時間が閾値以上である他ＬＴＥ基地局をＸ２コネクションの確立相手として決定し、その後、Ｘ２コネクションの確立相手を、メジャメントレポートに基づいて、無線端末４０における電波強度が所定値以上である他ＬＴＥ基地局に限定するようにしてもよい。
【０１０２】
また、上述した実施形態では、ハンドオーバ元であるＬＴＥ基地局１０−１が、無線端末４０のハンドオーバの契機を検出し、ハンドオーバ先の他ＬＴＥ基地局に対して、Ｘ２コネクションの確立要求であるＳＣＴＰ接続要求を送信した。しかし、ハンドオーバ先の他ＬＴＥ基地局が、無線端末４０のハンドオーバの契機を検出し、ハンドオーバ元のＬＴＥ基地局１０−１に対して、Ｘ２コネクションの確立要求であるＳＣＴＰ接続要求を送信するようにしてもよい。
【０１０３】
また、メジャメントレポートには、Ｐｈｙ−ＣＩＤと電波強度とに加えて、他ＬＴＥ基地局のＣＰＵの負荷状況や無線チャネルの負荷状況等の通信品質に関する情報が含まれていてもよい。この場合、ＬＴＥ基地局１０−１は、電波強度のみならず、ＬＴＥ基地局のＣＰＵの負荷状況や無線チャネルの負荷状況等を考慮して、ハンドオーバ先のＬＴＥ基地局を特定することができる。
【０１０４】
また、確立されたＸ２コネクションは、その後解放されるようにしてもよい。この場合、ＬＴＥ基地局１０−１の制御部１０２内のコネクション確立処理部１５６は、他ＬＴＥ基地局からのＸ２コネクションの解放要求であるＳＣＴＰ解放要求を受信すると、送信元の他ＬＴＥ基地局との間に確立されていたＸ２コネクションを解放する。更に、コネクション確立処理部１５６は、記憶部１０３に記憶されたネイバーリストにおいて、ＳＣＴＰ解放要求の送信元の他ＬＴＥ基地局のＧｌｏｂａｌ−ＣＩＤに対応付けられているＸ２コネクション確立情報を、「確立済」から「未確立」に変更する。
【０１０５】
あるいは、ＬＴＥ基地局１０−１の制御部１０２内のコネクション確立処理部１５６は、確立されている各Ｘ２コネクションがＸ２ハンドオーバに使用されてからの経過時間を測定する。更に、コネクション確立処理部１５６は、測定した経過時間が所定時間以上となった場合には、対応するＸ２コネクションを解放する。更に、コネクション確立処理部１５６は、記憶部１０３に記憶されたネイバーリストにおいて、ＳＣＴＰ解放要求の送信元の他ＬＴＥ基地局のＧｌｏｂａｌ−ＣＩＤに対応付けられているＸ２コネクション確立情報を、「確立済」から「未確立」に変更する。
【０１０６】
また、ネイバーリストには、対応する他ＬＴＥ基地局の処理の負荷状況やネットワーク負荷状況が含まれていてもよい。この場合には、無線通信システム１における各種負荷の状況を考慮した通信制御が可能となる。
【０１０７】
また、上述した実施形態では、ＬＴＥの無線通信システム１について説明したが、無線基地局間に論理的な伝送路が確立される無線通信システムであれば、同様に本発明を適用することができる。
【０１０８】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【０１０９】
本発明の無線基地局、及び、コネクション確立制御方法は、他の無線基地局との間で適切なコネクションを確立することが可能であり、無線基地局、及び、コネクション確立制御方法として有用である。
【符号の説明】
【０１１０】
１…無線通信システム、１０−１、１０−２、１０−３…ＬＴＥ基地局、２０−１、２０−２…ＭＭＥ／ＳＧＷ、３０…バックボーンネットワーク、４０…無線端末、１０２…制御部、１０３…記憶部、１０４…Ｉ／Ｆ部、１０６…無線通信部、１０８…アンテナ、１５２…ハンドオーバ履歴取得部、１５４…コネクション確立相手決定部、１５６…コネクション確立処理部、１５８…ハンドオーバ先決定部、１６０…ハンドオーバ処理部
【図１】
0005492546.tif 000002
【図２】
0005492546.tif 000003
【図３】
0005492546.tif 000004
【図４】
0005492546.tif 000005
【図５】
0005492546.tif 000006
【図６】
0005492546.tif 000007
【図７】
0005492546.tif 000008
【図８】
0005492546.tif 000009
【図９】
0005492546.tif 000010
【図１０】
0005492546.tif 000011
【図１１】
0005492546.tif 000012